【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
包装紙が巻き付けられるとともに所定の対向間隔を保った一対の給紙用ロールと、
被包装物が挟み込まれた上記包装紙の周囲を接着する接着機構と、
上記被包装物が挟み込まれた包装紙と後続の包装紙とをカットして被包装物単位で単位包装袋を形成する連続包装紙カット機構と、
あらかじめ対向間隔が設定され、上記単位包装袋の搬送方向に平行な一対のカッターからなる残部カット機構と、
上記単位包装袋を上記カッター間に連続的に搬送する搬送機構とを備え、
上記単位包装袋において搬送方向に沿って両側にはみ出した貼り合せ残部を上記カッターでカットして当該単位包装袋の幅寸法を上記対向間隔の範囲内に保つ包装装置であって、
上記搬送機構が、上記単位包装袋の搬送方向に対して平行移動する一対の残部カット用グリップ機構からなり、
これら残部カット用グリップ機構は、
上記連続包装カット機構によって後続の包装紙がカットされて形成された上記単位包装袋の上記貼り合せ残部をグリップする中継位置から、当該単位包装袋を上記一対のカッター間に位置させるカット位置まで移動し、
上記残部カット用グリップ機構によって搬送された上記単位包装体の貼り合せ残部が、上記残部カット機構のカッターによってカットされる構成にした包装装置。
【請求項２】
上記残部カット用グリップ機構の移動軌跡の上記単位包装袋の搬送方向の上流側の延長上には、上記単位包装袋の搬送方向に対して平行移動可能にした一対の引出用グリップ機構が設けられ、
これら引出用グリップ機構は、
上記単位包装袋に後続する上記包装紙の上記貼り合せ残部に相当する個所をグリップするスタート位置から、上記単位包装袋を上記中継位置に位置する残部カット用グリップ機構に受け渡し可能な引き出し終了位置まで移動し、その後に上記スタート位置に復帰する構成にした請求項１に記載の包装装置。
【請求項３】
後続の包装紙からカットされた上記単位包装袋を、上記接着機構が挟持している間に、上記残部カット用グリップ機構が、上記中継位置に移動してその中継位置における貼り合せ残部をグリップするステップと、
上記残部カット用グリップ機構が上記貼り合せ残部をグリップした後に上記接着機構の挟持力を開放するステップと、
上記残部カット用グリップ機構を上記カット位置に移動させるステップと、
上記残部カット機構が貼り合せ残部を挟持した後に上記残部カット用グリップ機構のグリップ力を開放するとともにこの残部カット用グリップ機構を上記中継位置方向に移動させるステップと、
上記残部カット機構のカッターが上記カット位置において単位包装袋の貼り合せ残部を挟持してカットするステップと、
を制御する制御機構が備えられた請求項２に記載の包装装置。
【手続補正２】
【補正対象書類名】明細書
【補正対象項目名】００２１
【補正方法】変更
【補正の内容】
【００２１】
この発明は、包装紙が巻き付けられるとともに所定の対向間隔を保った一対の給紙用ロールと、被包装物が挟み込まれた上記包装紙の周囲を接着する接着機構と、上記被包装物が挟み込まれた包装紙と後続の包装紙とをカットして被包装物単位で単位包装袋を形成する連続包装紙カット機構と、あらかじめ対向間隔が設定され、上記単位包装袋の搬送方向に平行な一対のカッターからなる残部カット機構と、上記単位包装袋を上記カッター間に連続的に搬送する搬送機構とを備え、上記単位包装袋において搬送方向に沿って両側にはみ出した貼り合せ残部を上記カッターでカットして当該単位包装袋の幅寸法を上記対向間隔の範囲内に保つ包装装置を前提にする。
【手続補正３】
【補正対象書類名】明細書
【補正対象項目名】００２２
【補正方法】変更
【補正の内容】
【００２２】
上記の包装装置を前提にしつつ、第１の発明は、上記搬送機構が、上記単位包装袋の搬送方向に対して平行移動する一対の残部カット用グリップ機構からなり、これら残部カット用グリップ機構は、上記連続包装カット機構によって後続の包装紙がカットされて形成された上記単位包装袋の上記貼り合せ残部をグリップする中継位置から、当該単位包装袋を上記一対のカッター間に位置させるカット位置まで移動し、
上記残部カット用グリップ機構によって搬送された上記単位包装体の貼り合せ残部が、上記残部カット機構のカッターによってカットされる構成にしている。
【手続補正４】
【補正対象書類名】明細書
【補正対象項目名】００２３
【補正方法】変更
【補正の内容】
【００２３】
第２の発明は、上記残部カット用グリップ機構の移動軌跡の上記単位包装袋の搬送方向の上流側の延長上には、上記単位包装袋の搬送方向に対して平行移動可能にした一対の引出用グリップ機構が設けられ、これら引出用グリップ機構は、上記単位包装袋に後続する上記包装紙の上記貼り合せ残部に相当する個所をグリップするスタート位置から、上記単位包装袋を上記中継位置に位置する残部カット用グリップ機構に受け渡し可能な引出終了位置まで移動し、その後に上記スタート位置に復帰する。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】変更
【補正の内容】
【００２６】
第３の発明は、後続の包装紙からカットされた上記単位包装袋を、上記接着機構が挟持している間に、上記残部カット用グリップ機構が、上記中継位置に移動してその中継位置における貼り合せ残部をグリップするステップと、上記残部カット用グリップ機構が上記貼り合せ残部をグリップした後に上記接着機構の挟持力を開放するステップと、上記残部カット用グリップ機構を上記カット位置に移動させるステップと、上記残部カット機構が貼り合せ残部を挟持した後に上記残部カット用グリップ機構のグリップ力を開放するとともにこの残部カット用グリップ機構を上記中継位置方向に移動させるステップと、上記残部カット機構のカッターが上記カット位置において単位包装袋の貼り合せ残部を挟持してカットするステップと、を制御する制御機構が備えられている。
【手続補正７】
【補正対象書類名】明細書
【補正対象項目名】００２７
【補正方法】削除
【補正の内容】
【手続補正８】
【補正対象書類名】明細書
【補正対象項目名】００３２
【補正方法】変更
【補正の内容】
【００３２】
また、この第１実施形態では、図７に示す上記第２搬送ベルト１５に換えて上記単位包装袋Ｂの底面を支持するテーブルＴを設けている。ただし、上記第２搬送ベルト１５を備えて上記単位包装袋Ｂを搬送するようにしてもよい。
そして、このテーブルＴの延長上には排出用搬送ベルト２６を設けるとともに、この排出用搬送ベルト２６に沿って、図２に示すように、一対の残部カット機構２７，２８を平行に設けている。このようにした残部カット機構２７，２８は上記排出用搬送ベルト２６の搬送方向と平行であるとともに、それらの対向間隔を、単位包装袋Ｂの包装に寄与していない貼り合せ残部２４，２５を切り落とすことができるように定めている。したがって、この対向間隔によって、配送料金を決めるときの単位包装袋Ｂの幅寸法が決まることになる。
【手続補正９】
【補正対象書類名】明細書
【補正対象項目名】００３４
【補正方法】変更
【補正の内容】
【００３４】
また、上記残部カット機構２７，２８は、図２，３に示すように、上側押え部材２９と下側押え部材３０とを備え、これら両押え部材２９，３０を上下において対向させている。そして、上側押え部材２９は図示しないアクチュエータの駆動力で、下側押え部材３０は上記基台に固定した図３に示したアクチュエータ３１の駆動力で、上下移動可能にしている。したがって、両押え部材２９，３０でそれらの間に導入された貼り合せ残部２４，２５をしっかりと挟持することができる。ただし、上下側押え部材２９，３０のいずれか一方のみを上下動させるようにしてもよい。
【手続補正１０】
【補正対象書類名】明細書
【補正対象項目名】００４０
【補正方法】変更
【補正の内容】
【００４０】
上記のように単位包装袋Ｂを上記残部カット機構２７，２８まで移動させたら、残部カット機構２７，２８の上側押え部材２９と下側押え部材３０とを移動させて単位包装袋Ｂの貼り合せ残部２４，２５を両押え部材２９，３０でしっかりと挟持する。
そして、カッター３４を上昇させて包装に寄与していない貼り合せ残部２４，２５をカットする。
なお、上記残部カット機構２７，２８の上記搬送方向に沿った長さを単位包装袋Ｂの長さより長くして、貼り合せ残部２４，２５が全長にわたってカットされるようにしている。
【手続補正１１】
【補正対象書類名】明細書
【補正対象項目名】００５０
【補正方法】変更
【補正の内容】
【００５０】
上記取付板４４は、上記接着機構Ｓ及び残部カット機構２７，２８を挟んだ両側に設けられ、一方の取付板４４に引出用グリップ機構１６と残部カット用グリップ機構３６が取り付けられ、他方の取付板４４には引出用グリップ機構１７と残部カット用グリップ機構３７とが取り付けられている。ただし、図４には一方の引出用グリップ機構１６と残部カット用グリップ機構３６のみを示している。
そして、上記搬送路ｒを挟んで対向するグリップ機構同士は互いに線対称の形状で、同様に動作するので、片側のみを示す図４〜６を用いて両側のグリップ機構について説明する。
図５は、引出用グリップ機構１６，１７及び残部カット用グリップ機構３６，３７の取り付け部分を表わした部分平面図であるが、上記取付板４４を省略している。また、図６は、図５のVI-VI線断図であって、引出用グリップ機構１６，１７を上記搬送方向下流側から見た図である。
【手続補正１２】
【補正対象書類名】明細書
【補正対象項目名】００５５
【補正方法】変更
【補正の内容】
【００５５】
さらに、取付板４４の下流端側には、それぞれ図示しない駆動源に連結された駆動プーリー６３，６４を設けている（図４参照）。
そして、一方の駆動プーリー６３を上記従動プーリー６０に対応させてこれら一対のプーリー６３，６０に上記第１駆動ベルト５２を掛け渡している。また、他方の駆動プーリー６４を上記従動プーリー６１に対応させて、これら一対のプーリー６１，６４に上記第２駆動ベルト５９を掛け渡している。これにより、互いに平行に配置された上記第１，２駆動ベルト５２，５９は、上記搬送路ｒに沿って移動可能になる。
したがって、駆動プーリー６３，６４を制御すれば、第１，２駆動ベルト５２，５９が駆動し、その駆動力によって引出用グリップ機構１６，１７や残部カット用グリップ機構３６，３７を移動させることができる。
【手続補正１３】
【補正対象書類名】明細書
【補正対象項目名】００５６
【補正方法】変更
【補正の内容】
【００５６】
なお、図５，６に示すように引出用グリップ機構１６，１７の連結板５０は残部カット用グリップ機構３６，３７の第２駆動ベルト５９を跨いでいるが、この連結板５０が移動したとき、第２駆動ベルト５９の表面を摺動しないようにしている。具体的には、連結板５０の高さ位置を、連結板５０に固定しないで張った状態の第２駆動ベルト５９よりも高くして、図６に示すように第２駆動ベルト５９の表面との間に隙間を保つようにしている。
また、この第２実施形態では、第２駆動ベルト５９側でも、連結板５７の位置を上記連結板５０と同様に他の部分よりも高くしているが、上記使用に、引出用グリップ機構１６，１７と残部カット用グリップ機構３６，３７とが上記搬送路ｒ上の同一点に位置することはないので、連結板５０が第２駆動ベルト５９の表面を摺動することはない。
【手続補正１４】
【補正対象書類名】明細書
【補正対象項目名】００５８
【補正方法】変更
【補正の内容】
【００５８】
また、この第２実施形態では、１本のガイドレール４９が、引出用グリップ機構１６，１７と残部カット用グリップ機構３６、３７とを支持し、両グリップ機構の駆動手段である第１，２駆動ベルト５２，５９をガイドレール４９に沿って設けている。そのため、第１実施形態のように、引出用グリップ機構１６，１７の駆動手段と、残部カット用グリップ機構３６，３７の駆動手段とを別々にしてそれぞれにスクリューシャフト２２やガイドレール４２を備え、それらを離して設けている場合と比べて、装置をコンパクトにすることができる。